(57)【要約】【課題】液汁機を使った後の使用者による掃除を容易に行えるようにする液汁機を提供する。【解決手段】液汁機が開示される。本発明は、内部で粉砕された飲食物の残滓は通過しないようにし、粉砕された飲食物の汁は通過させる複数のホールが形成された濾過網、及び前記濾過網の一面の少なくとも一部に密着し、前記複数のホールの少なくとも一部に詰まった飲食物の残滓を切断する切断刃を含む。本発明によれば、液汁機を使った後に使用者は濾過網の掃除を容易に行える。【選択図】  図３
2014533575.tif 000002
【特許請求の範囲】
【請求項１】
内部で粉砕された飲食物の残滓は通過しないようにし、粉砕された飲食物の汁は通過させる複数のホールが形成された濾過網；及び
前記濾過網の一面の少なくとも一部に密着し、前記複数のホールの少なくとも一部に詰まった飲食物の残滓を切断する切断刃を含むことを特徴とする、液汁機。
【請求項２】
前記切断刃が前記濾過網の一面に密着した状態で、前記濾過網と前記切断刃は相対移動することを特徴とする、請求項１に記載の液汁機。
【請求項３】
前記複数のホールの少なくとも一部に詰まった飲食物の残滓が前記切断刃によって切断された場合、前記複数のホールに水を噴射する噴射口をさらに含むことを特徴とする、請求項１に記載の液汁機。
【請求項４】
前記切断刃は前記濾過網の外部に設置される外部フレームの側面に設置され、前記外部フレームの下部には前記外部フレームを前記濾過網に対して相対回動させるのに使われる駆動ギアが形成されていることを特徴とする、請求項１に記載の液汁機。
【請求項５】
前記切断刃と前記濾過網を備えた粉砕容器との間には、前記切断刃が前記濾過網から離隔して結合するようにする離隔ガイド部がさらに備えられていることを特徴とする、請求項１に記載の液汁機。
【発明の詳細な説明】
【技術分野】
【０００１】
本発明は液汁機に関するものであり、より詳しくは液汁機を使った後の使用者による掃除を容易に行えるようにする液汁機に関するものである。
【背景技術】
【０００２】
忙しい現代人の間では果物、野菜などの飲食物を粉砕して液汁を取ることができるようにする液汁機が広く使われている。
【０００３】
このような従来技術による液汁機には、粉砕機によって粉砕された飲食物の液汁のみを通過させ、粉砕された飲食物の残滓は濾過させる機能をする多数のホールが形成された濾過網などが必須に備えられている。
【０００４】
しかし、このような濾過網に形成された多数のホールには液汁が通過する過程で飲食物の残滓がかかることになり、液汁機を使った後に使用者が飲食物の残滓（特に、纎維質残滓）が詰まった多数のホールをいちいち掃除することは非常に不便であるという不満が提起されている実情がある。
【発明の概要】
【発明が解決しようとする課題】
【０００５】
したがって、本発明の目的は液汁機を使った後の使用者による掃除を容易に行えるようにする液汁機を提供することにある。
【課題を解決するための手段】
【０００６】
前記目的を達成するための本発明による液汁機は、内部で粉砕された飲食物の残滓は通過しないようにし、粉砕された飲食物の汁は通過させる複数のホールが形成された濾過網；及び前記濾過網の一面の少なくとも一部に密着し、前記複数のホールの少なくとも一部に詰まった飲食物の残滓を切断する切断刃を含む。
【０００７】
好ましくは、前記切断刃が前記濾過網の一面に密着した状態で、前記濾過網と前記切断刃は相対移動することを特徴とする。
【０００８】
また、前記複数のホールの少なくとも一部に詰まった飲食物の残滓が前記切断刃によって切断された場合、前記複数のホールに水を噴射する噴射口をさらに含む。
【０００９】
また、前記切断刃は前記濾過網の外部に設置される外部フレームの側面に設置され、前記外部フレームの下部には前記外部フレームを前記濾過網に対して相対回動させるのに使われる駆動ギアが形成されていることを特徴とする。
【発明の効果】
【００１０】
本発明によれば、液汁機を使った後に使用者は濾過網の掃除を容易に行えるようになる。
【図面の簡単な説明】
【００１１】
【図１】本発明の一実施例による液汁機の粉砕容器の構造を示す図である。
【図２】本発明の一実施例による液汁機の粉砕容器に備えられた濾過網を飲食物残滓が詰めた状態を示した図である。
【図３】本発明の一実施例による外部フレームの構造を示した図である。
【図４】本発明の一実施例による外部フレームに粉砕容器が結合された状態を示した図である。
【図５】本発明の一実施例による液汁機の粉砕容器に備えられた濾過網に詰まった飲食物残滓が除去される過程を示す図である。
【図６】本発明の一実施例による液汁機の粉砕容器に備えられた濾過網に詰まった飲食物残滓が除去される過程を示す図である。
【図７】本発明の一実施例による液汁機の粉砕容器に備えられた濾過網に詰まった飲食物残滓が除去される過程を示す図である。
【図８】本発明による液汁機の切断刃にガイド部が備えられた状態を示す図である。
【図９】ガイド部のさらに他の実施例を示す図である。
【発明を実施するための形態】
【００１２】
以下、添付図面に基づいて本発明をより詳細に説明する。図面において、同一の構成要素はできるだけどの図においても同一符号で示していることに留意しなければならない。また、本発明の要旨を不必要にあいまいにすることができる公知の機能及び構成についての詳細な説明は省略する。
【００１３】
図１は本発明の一実施例による液汁機の粉砕容器の構造を示す図である。図１に示すように、粉砕容器１００の側面には濾過網１５０が備えられ、濾過網１５０には内部で粉砕された柿、リンゴ、梨、トマト、ケールなどの飲食物の汁を通過させる複数のホールが形成されており、複数ホールは内部で粉砕された飲食物の残滓５０は通過することができないようにする機能をする。
【００１４】
ただ、飲食物残滓５０の中で複数のホールの直径と同一またはそれより大きな直径を持つ果物などの飲食物残滓５０はホール中に図２のように詰まることになる。
【００１５】
図２に示すように、詰まった飲食物残滓５０は濾過網１５０の内面及び外面から両端部が突出しているから、後に使用者が濾過網１５０を掃除する場合、束子で擦るとか、高圧水で噴射しても濾過網１５０のホールに詰まった残滓５０はめったに除去されなくなる。
【００１６】
それで、本発明では、図３に示すように、濾過網１５０掃除用外部フレーム２００を提案した。図３において、外部フレーム２００の内部には図１の粉砕容器１００が図４のように挿設されるもので、側面フレーム２１０、切断刃２５０、駆動ギア２７０、第１噴射口２３０、及び第２噴射口２４０を含む。
【００１７】
具体的に、外部フレーム２００の側面フレーム２１０には、図３に示すように、切断刃２５０が挿入固定され、使用者は切断刃２５０が挿入された程度を調節することにより、図１の粉砕容器１００の濾過網１５０の外面に対して密着するとか離隔することができる。
【００１８】
すなわち、使用者は粉砕容器１００内で飲食物を粉砕させる場合には切断刃２５０を濾過網１５０の外面から離隔させる。
【００１９】
一方、飲食物の粉砕及び汁液の抽出が完了した後、使用者が濾過網１５０を掃除する場合には、図４のように粉砕容器１００が外部フレーム２００に挿入された状態で、液汁機の洗浄ボタンを押す自動方式または使用者による手動方式で切断刃２５０が濾過網１５０の外面に図５のように密着するように移動する。
【００２０】
その後、本発明による液汁機は、外部から供給される電源によって外部フレーム２００を固定した状態で粉砕容器１００を回転させるとか、あるいは反対に粉砕容器１００は固定された状態で外部フレーム２００を回転させることにより、切断刃２５０が濾過網１５０のホールを通じて外面に突出した飲食物残滓５０をひげそり方式またははさみによる切断方式で切断するようにする。
【００２１】
これは、使用者が本発明による液汁機の部品を分解するとか組立てる場合、切断刃２５０によって手を切られないように切断刃２５０が鋭くないようにするとともに切断がうまくなされるようにするためである。
【００２２】
一方、外部フレーム２００の下部に形成された駆動ギア２７０は、図示しない液汁機本体のギアと噛み合った状態で液汁機本体の駆動モーターによって外部フレーム２００が回転することにより、外部フレーム２００の側面に形成された切断刃２５０が飲食物残滓５０の突出部を切断する機能をする。
【００２３】
一方、本発明の実施において、切断刃２５０は刃先が鋭く加工された強化プラスチック材を使うことによって切断作業における摩擦による騷音発生を最小化することもでき、切断の効果を極大化するためには、多少の騷音発生にもかかわらず、かみそりのような金属材から製作することもできる。
【００２４】
ただ、本発明の実施においては、騷音や摩耗を減少させるために、切断刃２５０と濾過網の面は近接しているが触れないようにするとか、特定部位だけ接触するように少しの屈曲を活用することもできる。
【００２５】
これにより、飲食物残滓５０の濾過網１５０のホールを通じて外面に突出した部分は図６のように切断され、外面の突出した部分が切断された飲食物残滓５０は以前より容易に濾過網１５０のホールからすり抜けることができる状態となる。
【００２６】
この場合、外部フレーム２００の側面フレーム２１０の少なくとも一部に備えられた噴射ノズルである第１噴射口２３０からは、図７に示すように、使用者の操作によってあるいは自動的に濾過網１５０の外面に水を噴射するとともにフレーム２１０の上部で第２噴射口２４０を通じて濾過網１５０の内面の上部から下部に水を噴射して残滓を洗い落としながら排出させるようになる。
【００２７】
すなわち、第１噴射口２３０は濾過網１５０の切断された面側から切断されなかった裏面の方向に濾過網１５０に垂直に水を噴射することにより、切断された飲食物残滓を抜き取る役目をする。
【００２８】
一方、第２噴射口２４０は濾過網１５０の切断された面の反対面に平行に当該面に沿って水を噴射する噴射口で、第２噴射口２４０によれば、図７に示すように、第１噴射口２３０から噴射された水によってホールから抜き取られたが下側に流れなくて濾過網の表面にくっついている残滓を下方に洗い落としながら排出させることができるようになる。
【００２９】
一方、本発明の実施においては、第１噴射口２３０及び第２噴射口２４０の噴射ノズルを通じて噴射された水が液汁機の外部に漏れることを防止するために、液汁機で液を抽出する作業が完了すれば、自動または手動で液汁が外部に排出される入口を遮断することが好ましい。
【００３０】
これにより、濾過網１５０のホールに詰まった飲食物残滓５０は完全に除去されることができるようになり、分離された飲食物残滓５０が浮遊している粉砕容器１００の内部の洗浄水は駆動モーターによる外部フレーム２００の回転によって乱流を形成し、外部フレーム２００の下部の排出口（図示せず）を通じて外部に排出されるようにすることが好ましい。
【００３１】
一方、本発明による液汁機は、原液機、ジューサー、緑汁機などの多様な液汁生成製品を含むものを意味し、本発明における切断刃によって濾過網を掃除する技術的原理は広くは排水濾過網装置の掃除用途にも活用できる。
【００３２】
図８は本発明による液汁機の切断刃に離隔ガイド部が備えられた状態の一例を示す図、図９は離隔ガイド部のさらに他の実施例を示す図である。
【００３３】
本発明による液汁機において、切断刃２５０と前記濾過網１５０を備えた粉砕容器１００との間には、前記切断刃２５０が前記濾過網１５０から離隔して結合するようにする離隔ガイド部をさらに備えることができる。離隔ガイド部は、切断刃２５０が側面フレーム２１０に挿入装着される場合、刃先と濾過網１５０がまったく接触しないで微細な間隔で離隔しているようにするもので、公知の多様な方法で具現することができる。
【００３４】
濾過網１５０は製造当時からあるいは使用中に多少の変形が発生することもでき、継ぎ目（図示せず）があることもできる。したがって、切断刃２５０が濾過網１５０にまったく密着した状態で相対移動する場合に騷音が発生するとか微細な破片が発生することもできる。よって、切断刃２５０が最小の範囲内で濾過網１５０から離隔した状態で駆動できるように、切断刃２５０と濾過網１５０は微細な間隔で離隔して結合されることが好ましい。
【００３５】
離隔ガイドの一例としては図８のようなガイド突起３２０の形態を挙げることができる。図８を参照すれば、切断刃２５０の側面にガイド部３１０が備えられ、前記ガイド部３１０の前方にはガイド突起３２０が備えられることができる。この場合、前記ガイド突起３２０と対応する位置の粉砕容器１００には、前記ガイド突起３２０が挿入されて定着されるガイド溝３２５が備えられることができる。これにより、切断刃２５０を濾過網１５０に密着させれば、ガイド突起３２０がガイド溝３２５に定着しながら前記ガイド溝３２５に沿って滑りながら回転することができる。
【００３６】
一方、ガイド部３１０のさらに他の実施例は、図９に示すように、ガイドボール３５０の形態となることもできる。ガイドボール３５０が切断刃２５０の両端に回動可能に備えられることにより、ガイド部３１０が動く場合に摩擦力を減少させることができる。ガイドボール３５０に対応する位置の粉砕容器１００にも前記ガイドボール３５０を収容するガイド溝３２５が備えられることができる。
【００３７】
この外にも、離隔ガイド部は切断刃２５０の両端あるいは切断刃２５０と濾過網１５０が直接接触しない中間部に備えられることもできる。そして、必要によってはガイド突起３２０またはガイドボール３５０が反対側に位置することもできるのは言うまでもない。すなわち、ガイド突起３２０が粉砕容器１００の外側面に備えられ、ガイド突起が切断刃１５０の両端または中間部に前記ガイド突起３２０の位置に対応する位置に備えられることができる。すなわち、本発明による液汁機の離隔ガイド部は切断刃２５０が粉砕容器１００の接触部に備えられ、前記切断刃２５０が濾過網１５０から所定間隔で離隔するようにする構成であれば公知の多様な構成が適用できる。
【００３８】
以上では本発明の好適な実施例及び応用例について図示して説明したが、本発明は前述した特定の実施例及び応用例に限定されなく、請求範囲で請求する本発明の要旨を逸脱することなしに当該発明が属する技術分野で通常の知識を持った者によって多様な変形実施が可能であるのはもちろんのこと、このような変形実施は本発明の技術的思想や見込みから個別的に理解されられてはいけないであう。
【００３９】
また、本発明で使用した用語はただ特定の実施例を説明するために使用されたもので、本発明を限定しようとする意図ではない。単数の表現は文脈上明らかに他に指示がない限り、複数の表現を含む。この出願において、“含む”または“持つ”などの用語は明細書上に記載された特徴、数字、段階、動作、構成要素、部品またはこれらの組合せが存在することを指示しようとするものであるばかりで、一つまたはそれ以上の他の特徴、数字、段階、動作、構成要素、部品またはこれらの組合せなどの存在または付加の可能性を予め排除しないものに理解されなければならない。
【図１】
2014533575.tif 000003
【図２】
2014533575.tif 000004
【図３】
2014533575.tif 000005
【図４】
2014533575.tif 000006
【図５】
2014533575.tif 000007
【図６】
2014533575.tif 000008
【図７】
2014533575.tif 000009
【図８】
2014533575.tif 000010
【図９】
2014533575.tif 000011
【国際調査報告】
2014533575.tif 000012
2014533575.tif 000013
2014533575.tif 000014
2014533575.tif 000015